(57)【特許請求の範囲】
【請求項１】
一方の方向および前記一方の方向と異なる他方の方向にマトリクス状に配置された複数のＬＥＤ光源と、第１レンズおよび第２レンズと、を備えた車両用灯具であって、
前記複数のＬＥＤ光源は、それぞれの光出射面が前方側を向いて実装基板に実装されており、
前記第１レンズは、前記複数のＬＥＤ光源と前記第２レンズとの間に配置され、前記ＬＥＤ光源の光出射面に対向する側の面に複数の入射面及び反射面を有し、前記第２レンズ側の面に出射面を有しており、
前記第２レンズにおける前記第１レンズの出射面に対向する側の面が入射面を構成し、前記第２レンズにおける前記第１レンズの前記入射面と反対側の面が出射面を構成しており、
前記第１レンズの複数の入射面は、前記複数のＬＥＤ光源の夫々の光軸を主軸とすると共に当該主軸上のＬＥＤ光源の位置を焦点位置とする、当該ＬＥＤ光源側に凸の曲面形状をなす第１入射面と、当該第１入射面の縁部から前記ＬＥＤ光源側に延長された第２入射面を有しており、
前記第１レンズの複数の反射面は、前記第２入射面から当該第１レンズ内に入射した前記ＬＥＤ光源からの照射光を内部反射し、第１レンズの出射面に向けて略平行光とするように、前記第２入射面の前記ＬＥＤ光源側の端部から延びる傾斜面で構成されており、
前記第１レンズの出射面には、前記複数のＬＥＤ光源から出射された光を前記一方の方向に拡散させるための拡散カットが施されており、
前記第２レンズの入射面には、前記第１レンズによって前記一方の方向に拡散された光を前記他方の方向に集光させるための凸部が形成されており、
前記第２レンズの出射面には、遮光反射部材で形成された遮光反射面と、前記遮光反射部材が被覆されていない所定幅の透過部が設けられており、
前記透過部は、前記一方の方向と略同一方向に延在して設けられており、
前記凸部は、前記一方の方向に延在する複数のシリンドリカル形状のレンズ素子に対応し、前記他方の方向に並んだ前記ＬＥＤ光源に対応する間隔で連続して平行に並設されており、
前記凸部によって前記他方の方向に集光された光は、前記透過部に沿って直線状に焦点を結ぶことを特徴とする車両用灯具。
【請求項２】
前記拡散カットは、前記複数のシリンドリカル形状のレンズ素子に対応し、前記一方の方向に並んだ前記ＬＥＤ光源間の間隔よりも密に連続して平行に並設されていることを特徴とする請求項１に記載の車両用灯具。
【請求項３】
前記複数のＬＥＤ光源が、同一の実装基板上に実装されていることを特徴とする請求項１又は請求項２のいずれかに記載の車両用灯具。
【発明の詳細な説明】
【技術分野】
【０００１】
本発明は車両用灯具に関するものであり、詳しくは、インナーレンズとアウターレンズとを備えた車両用灯具に関する。
【背景技術】
【０００２】
従来、この種の車両用灯具としては、例えば、特許文献１に「車両用灯具」として開示されたものがある。
【０００３】
それは、図１５に示すように、ランプボディ８１と透光カバー８２とで形成された灯室８３内に、３つの発光素子８４と、発光素子８４に対して灯具８０前方側に配置された導光板ユニット８５と、発光素子８４と導光板ユニット８５との間に配置されたレンズ部材ユニット８６とが組み込まれた構成となっている。
【０００４】
レンズ部材ユニット８６は該レンズ部材ユニット８６を構成するレンズ部材８７が、発光素子８４からの出射光のうち、光軸ＡＸに近い方向に向かう光を、水平面内において拡散する拡散光として、導光板ユニット８５を構成する導光板８８に到達させると共に、発光素子８４からの出射光を、鉛直面内において光軸ＡＸに沿った平行光として導光板８８に到達させるように構成されている。
【０００５】
導光板ユニット８５は、該導光板ユニット８５を構成する導光板８８が、レンズ部材８７を介して導光板８８に到達した発光素子８４からの出射光を、水平面内において光軸ＡＸと平行な光として導光板８８に入射させ、導光板８８内を導光されて前端面８９に到達した光を、光軸ＡＸを中心にして上下方向及び左右方向に拡散する光として灯具８０前方に出射させるものである。
【先行技術文献】
【特許文献】
【０００６】
【特許文献１】特開２０１３−２６００８号
【発明の概要】
【発明が解決しようとする課題】
【０００７】
ところで、上記構成からなる車両用灯具８０は、非点灯時に前方から見た場合、アウターレンズ（透光カバー８２）を通して灯室８３内の２つのインナーレンズ（レンズ部材ユニット８６及び導光板ユニット８５）が視認され、特に、透光カバー８２側に位置する導光板ユニット８５の前面にレンズカットが施されている場合はそのレンズカットが直接視認され、導光板ユニット８５の前面にレンズカットが施されていない場合であっても、導光板ユニット８５を通してその背面のレンズカットあるいは導光板ユニット８５の後方部分（例えば、レンズ部材ユニット８６や発光素子８４等）が視認される。そのため、観視者にとって非点灯時の見栄えが良くなく、商品性に欠けるものとなる。
【０００８】
また、インナーレンズが２つのインナーレンズ（レンズ部材ユニット８６及び導光板ユニット８５）によって構成されているため、灯室８３に２つのインナーレンズを組み込むだけの大きなスペースが必要となり、奥行の大きい灯具となってしまう。
【０００９】
さらに、２つのインナーレンズ（レンズ部材ユニット８６及び導光板ユニット８５）のうち、特に導光板ユニット８５の厚みが厚いため、成形（射出成形）によって形成する場合、成形時間が長くなって生産性が低下し、製造コストのコストアップを生じる要因となる。同時に、成形時に成形品（導光板ユニット８５）にひけや変形等の成形不良が発生して光学性能が劣化したり、あるいは安定した光学性能を確保できないおそれがある。
【００１０】
そこで、本発明は上記問題に鑑みて創案なされたもので、その目的とするところは、灯室内にインナーレンズを備え、非点灯時の見栄えが良好で商品性に優れると共に良好で安定した光学性能を有し、且つ、大型化及び製造コスのコストアップを招くことのない車両用灯具を提供することにある。
【課題を解決するための手段】
【００１１】
上記課題を解決するために、本発明の請求項１に記載された発明は、一方の方向および前記一方の方向と異なる他方の方向にマトリクス状に配置された複数のＬＥＤ光源と、第１レンズおよび第２レンズと、を備えた車両用灯具であって、前記複数のＬＥＤ光源は、それぞれの光出射面が前方側を向いて実装基板に実装されており、前記第１レンズは、前記複数のＬＥＤ光源と前記第２レンズとの間に配置され、前記ＬＥＤ光源の光出射面に対向する側の面に複数の入射面及び反射面を有し、前記第２レンズ側の面に出射面を有しており、前記第２レンズにおける前記第１レンズの出射面に対向する側の面が入射面を構成し、前記第２レンズにおける前記第１レンズの前記入射面と反対側の面が出射面を構成しており、前記第１レンズの複数の入射面は、前記複数のＬＥＤ光源の夫々の光軸を主軸とすると共に当該主軸上のＬＥＤ光源の位置を焦点位置とする、当該ＬＥＤ光源側に凸の曲面形状をなす第１入射面と、当該第１入射面の縁部から前記ＬＥＤ光源側に延長された第２入射面を有しており、前記第１レンズの複数の反射面は、前記第２入射面から当該第１レンズ内に入射した前記ＬＥＤ光源からの照射光を内部反射し、第１レンズの出射面に向けて略平行光とするように、前記第２入射面の前記ＬＥＤ光源側の端部から延びる傾斜面で構成されており、前記第１レンズの出射面には、前記複数のＬＥＤ光源から出射された光を前記一方の方向に拡散させるための拡散カットが施されており、前記第２レンズの入射面には、前記第１レンズによって前記一方の方向に拡散された光を前記他方の方向に集光させるための凸部が形成されており、前記第２レンズの出射面には、遮光反射部材で形成された遮光反射面と、前記遮光反射部材が被覆されていない所定幅の透過部が設けられており、前記透過部は、前記一方の方向と略同一方向に延在して設けられており、前記凸部は、前記一方の方向に延在する複数のシリンドリカル形状のレンズ素子に対応し、前記他方の方向に並んだ前記ＬＥＤ光源に対応する間隔で連続して平行に並設されており、前記凸部によって前記他方の方向に集光された光は、前記透過部に沿って直線状に焦点を結ぶことを特徴とするものである。
【００１２】
また、本発明の請求項２に記載された発明は、請求項１において、前記拡散カットは、前記複数のシリンドリカル形状のレンズ素子に対応し、前記一方の方向に並んだ前記ＬＥＤ光源間の間隔よりも密に連続して平行に並設されていることを特徴とするものである。
【００１３】
また、本発明の請求項３に記載された発明は、請求項１又は請求項２のいずれかにおいて、前記複数のＬＥＤ光源が、同一の実装基板上に実装されていることを特徴とするものである。
【発明の効果】
【００１４】
本発明によれば、光源の前方に順次インナーレンズ及びアウターレンズを配置し、インナーレンズには、前面側に、光源から出射された光を一方の方向に拡散させるための拡散カットを施し、アウターレンズには、背面側に、インナーレンズによって一方の方向に拡散された光を該一方の方向と直交する他方の方向に集光させるための凸部を設けると共に、前面側の一部に遮光反射部材が被覆されていない透過部を設けた。透過部は一方の方向と略同一方向に延在して設けられ、前記凸部によって他方の方向に集光された光が透過部の近傍で他方の方向側において焦点を結ぶ。
【００１５】
これにより、夜間時には、アウターレンズの透過部から、該透過部の延在方向に延びると共に該延在方向及び延在方向に直交する方向のいずれの方向に対しても放射状に広がる線状光が出射される。その結果、線状光による斬新な見栄えの演出によって灯具としての商品性が高められる。
【００１６】
また、昼間時には、アウターレンズの遮光反射部材による光反射面が観視されると同時に、遮光反射部材によって背後に位置するインナーレンズや光源などの内蔵物が隠される。その結果、優れた美観が得られて見栄えが向上し、灯具としての商品性が高まる。
【図面の簡単な説明】
【００１７】
【図１】実施形態の車両用灯具の模式的な斜視図である。
【図２】実施形態の車両用灯具を前方から見た正面図である。
【図３】図２のＡ−Ａ断面図である。
【図４】図２のＢ−Ｂ断面図である。
【図５】実装基板の他の実施形態である。
【図６】横断面図を用いた光路説明図である。
【図７】縦断面図を用いた光路説明図である。
【図８】横断面図を用いた光路説明図である。
【図９】縦断面図を用いた光路説明図である。
【図１０】横断面図を用いた光路説明図である。
【図１１】縦断面図を用いた光路説明図である。
【図１２】横断面図を用いた光路説明図である。
【図１３】縦断面図を用いた光路説明図である。
【図１４】インナーレンズの他の実施形態である。
【図１５】従来例の説明図である。
【発明を実施するための形態】
【００１８】
以下、この発明の好適な実施形態を図１〜図１４を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１９】
図１は本実施形態の車両用灯具の模式的な斜視図、図２は本実施形態の車両用灯具を前方から見た正面図、図３は図２のＡ−Ａ断面図、図４は図２のＢ−Ｂ断面図である。
【００２０】
車両用灯具（以下、「灯具」と略称する）１は、光源のＬＥＤ２、ＬＥＤ２を実装した実装基板３、４、５、ＬＥＤ２からの出射光の光路制御を行うインナーレンズ１０及びアウターレンズ３０を備えている。
【００２１】
実装基板は複数（本実施形態においては３枚）からなり、各実装基板３、４、５は細長の形状を有すると共に実装基板３、４、５の夫々には実装基板毎に複数（本実施形態においては３個）のＬＥＤ２（２ａ１、２ａ２、２ａ３）、ＬＥＤ２（２ｂ１、２ｂ２、２ｂ３）、ＬＥＤ２（２ｃ１、２ｃ２、２ｃ３）が所定の間隔で直線状に実装されている。また、各実装基板３、４、５は互いに所定の間隔で平行に並設されている。
【００２２】
したがって、ＬＥＤ２のみの配置を見ると、複数のＬＥＤ２が縦横方向に夫々所定の間隔でマトリクス状に配置された構成を有している。そのため、図５に示すように、複数のＬＥＤ２を前記配置構成によって１枚の実装基板６上に実装することも可能である。
【００２３】
なお、以下の説明においては、３枚の実装基板３、４、５を横断する方向を横方向（一方の方向）と呼称し、前記横方向と直交する方向を縦方向（他方の方向）と呼称する。これをＬＥＤ２の実装配置で示すと、実装基板を異にして互いに隣接するＬＥＤ２同士（２ａ１、２ｂ１、２ｃ１）、（２ａ２、２ｂ２、２ｃ２）、（２ａ３、２ｂ３、２ｃ３）が配列された方向を横方向とする。したがって、各実装基板３、４、５は縦方向に向けて配置されている。
【００２４】
インナーレンズ１０は透明部材で形成され、実装基板３、４、５の夫々に実装されたＬＥＤ２の光出射面２ｓ側（ＬＥＤ２の前方）に配置され、ＬＥＤ２の光出射面２ｓに対向する側の面が光入射面（以下、「入射面」と略称する）１１及び光反射面（以下、「反射面」と略称する）１２を構成し、ＬＥＤ２と反対側の面が光出射面（以下、「出射面」と呼称する）１３を構成している。
【００２５】
インナーレンズ１０の入射面１１は、ＬＥＤ２からの出射光をインナーレンズ１０内に導入する光学機能を有し、夫々のＬＥＤ２の光軸Ｘを主軸とすると共に主軸上のＬＥＤ２の位置を焦点位置とする、ＬＥＤ２側に凸の双曲面あるいは双曲面に近似した非球面からなる第１入射面１１ａと、第１入射面１１ａの上縁部（出射面１３側縁部）から該第１入射面１１ａを囲むように下方（ＬＥＤ２側）に延長された略円筒状の第２入射面１１ｂを有している。
【００２６】
換言すると、夫々のＬＥＤ２の直前には該ＬＥＤ２毎に凹状の入射面１１が形成され、凹状の底面は、ＬＥＤ２側に凸の双曲面あるいは双曲面に近似した非球面からなる第１入射面１１ａを構成し、凹状の側面は、略円筒状の第２入射面１１ｂを構成している。
【００２７】
反射面１２は、インナーレンズ１０内を導光された光を内部反射（全反射）してインナーレンズ１０内に戻す光学機能を有し、第２入射面１１ｂの下端部から上方に向けて第２入射面１１ｂの側方を外側に開く環状傾斜面で構成されている。
【００２８】
出射面１３は、複数のＬＥＤ２の他方の配列方向（縦）に延びる複数のかまぼこ状のフルートカット１３ａが一方の方向（横方向）に連続して平行に並設されており、インナーレンズ１０内を導光された光を、後述するアウターレンズ３０に向けて出射する光学機能を有している。なお本明細書中におけるフルートカットとは、シリンドリカル形状のカットを指す。
【００２９】
この場合、本実施形態においては、フルートカット１３ａの延在方向は、ＬＥＤ２（２ａ１、２ｂ１、２ｃ１）、ＬＥＤ２（２ａ２、２ｂ２、２ｃ２）及びＬＥＤ２（２ａ３、２ｂ３、２ｃ３）の配列方向に沿う方向となっている。
【００３０】
アウターレンズ３０はインナーレンズ１０と同様に透明部材で形成され、インナーレンズ１０の出射面１３側（インナーレンズ１０の前方）に配置され、アウターレンズ３０の、インナーレンズ１０の出射面１３に対向する側の面が光入射面（以下、「入射面」と略称する）３１を構成し、アウターレンズ３０の、インナーレンズ１０と反対側の面が光出射面（以下、「出射面」と呼称する）３２を構成している。
【００３１】
入射面３１は、インナーレンズ１０からの出射光をアウターレンズ３０内に導入する光学機能を有しており、インナーレンズ１０の出射面１３を構成するフルートカット１３ａの延在方向に直交する方向（一方の方向である横方向）に延びる複数のかまぼこ状のフルートカット３１ａ、３１ｂ、３１ｃが連続して平行に並設されている。
【００３２】
出射面３２は、入射面３１から入射してアウターレンズ３０内を導光された光を灯具１外に出射する光学機能を有しており、全面が平坦面で構成されると共に所定の幅のスリット部３２ａを除いた全面に亘ってアルミニウム等の遮光反射性部材で形成されたメタリック調の遮光反射面３２ｂが設けられている。
【００３３】
各スリット部３２ａは、入射面３１を構成するフルートカット３１ａ、３１ｂ、３１ｃの夫々の延在方向と同一方向に配列されたＬＥＤ２（２ａ１、２ｂ１、２ｃ１）、ＬＥＤ２（２ａ２、２ｂ２、２ｃ２）及びＬＥＤ２（２ａ３、２ｂ３、２ｃ３）の夫々の光軸Ｘに交差する直線状に、所定の幅で形成されてアウターレンズ１０のレンズ面３２ｃが露出している。
【００３４】
なお、夫々のフルートカット３１ａ、３１ｂ、３１ｃのカット面は、対向する各スリット部３２ａに露出した、アウターレンズ１０のレンズ面３２ｃの位置に焦点を有している。
【００３５】
次に、光源のＬＥＤ２から出射した光の光路形成について、図６〜図１３の断面図を用いて説明する。
【００３６】
実装基板３、４、５の夫々に実装されたＬＥＤ２（２ａ１、２ａ２、２ａ３）、ＬＥＤ２（２ｂ１、２ｂ２、２ｂ３）、ＬＥＤ２（２ｃ１、２ｃ２、２ｃ３）から放射状に出射した光は、夫々のＬＥＤ２の直前に位置する、インナーレンズ１０の入射面１１を構成する第１入射面１１ａ及び第２入射面１１ｂに向かう。
【００３７】
そのうち、光源２から第１入射面１１ａに向けて横方向に出射された光及び縦方向に出射された光はいずれも、ＬＥＤ２の位置を焦点位置とする双曲面あるいは双曲面に近似した非球面で構成された第１入射面１１ａで略平行光に屈折されてインナーレンズ１０内に入射し、インナーインレンズ１０内を出射面１３に向けて導光される（図６（横方向に沿う断面）及び図７（縦方向に沿う断面）参照）。
【００３８】
一方、光源２から第２入射面１１ｂに向けて横方向に出射された光及び縦方向に出射された光はいずれも、略円筒状に構成された第２入射面１１ｂで屈折されてインナーレンズ１０内に入射し、インナーインレンズ１０内を反射面１２に向けて導光され、反射面１２で略平行光に内部反射（全反射）されてインナーインレンズ１０内を出射面１３に向けて導光される（図８（横方向に沿う断面）及び図９（縦方向に沿う断面）参照）。
【００３９】
したがって、ＬＥＤ２と、インナーレンズ１０の第２入射面１１ｂと反射面１２との位置関係、及び第２入射面１１ｂと反射面１２の夫々の形状寸法は、ＬＥＤ２から出射してインナーレンズ１０の第２入射面１１ｂからインナーレンズ１０内に入射して反射面１２で内部反射された光が略平行光となって出射面１３に向かうように設定されている。
【００４０】
そして、ＬＥＤ２から横方向に出射されてインナーレンズ１０内を導光されて出射面１３に到達した略平行光は、フルートカット１３ａで構成された出射面１３で、フルートカット１３ａの延在方向と直交する方向（フルートカットの周方向（横方向））に対してはフルートカット１３ａのレンズ効果によって出射光が放射状に広角に広げられ（拡散され）る（図１０（横方向に沿う断面）参照）。
【００４１】
一方、ＬＥＤ２から縦方向に出射されてインナーレンズ１０内を導光されて出射面１３に到達した略平行光は、フルートカット１３ａで構成された出射面１３で、フルートカット１３ａの延在方向（縦方向）に対して出射光がそのまま略平行光として出射される（図１１（縦方向に沿う断面）参照）。
【００４２】
したがって、インナーレンズ１０の出射面１３からは、該インナーレンズ１０の反射面１２の上端部１２ａの径を略幅とする、フルートカット１３ａの延在方向と直交する方向（横方向）に延びる３本の帯状の光（帯状光）が出射される。換言すると、インナーレンズ１０の出射面１３から出射する３本の帯状光の夫々は、出射面１３を構成するフルートカット１３ａの延在方向と直交する方向に配列された、実装基板を異にして互いに隣接するＬＥＤ２同士（２ａ１、２ｂ１、２ｃ１）、（２ａ２、２ｂ２、２ｃ２）、（２ａ３、２ｂ３、２ｃ３）の夫々の光軸Ｘに交差する直線状に形成されている。
【００４３】
そして、インナーレンズ１０の出射面１３から出射した上記３本の帯状光の夫々は、アウターレンズ３０の入射面３１に向かい、帯状光の夫々と同一間隔で且つ同一方向に延びる、入射面３１を構成するフルートカット３１ａ、３１ｂ、３１ｃに照射される。
【００４４】
入射面３１のフルートカット３１ａ、３１ｂ、３１ｃの夫々に、延在方向に沿って照射された各帯状光は、フルートカット３１ａ、３１ｂ、３１ｃの延在方向に対しては、インナーレンズ１０の出射面１３によって放射状に広角に拡散された光が照射され、照射光の放射方向をほぼ保持したままアウターレンズ３０内を導光されてそのまま出射面３２に向かう（図１２（横方向に沿う断面）参照）。
【００４５】
一方、入射面３１のフルートカット３１ａ、３１ｂ、３１ｃの夫々に、延在方向に沿って照射された各帯状光は、フルートカット３１ａ、３１ｂ、３１ｃの延在方向と垂直方向（フルートカットの周方向）に対しては平行光として照射され、フルートカット３１ａ、３１ｂ、３１ｃのレンズ効果によって屈折光が狭角に狭められてアウターレンズ３０内に入射し、アウターレンズ３０内を導光されて出射面３２の、スリット部３２ａに露出したレンズ面３２ｃの位置に該スリット部３２ａに沿って直線状に焦点を結ぶ（集光する）。そして、出射面３２からは、スリット部３２ａのレンズ面３２ｃで直線状に集光された光が放射状に出射される（図１３（縦方向に沿う断面）参照）。
【００４６】
これにより、アウターレンズ３０からは、各スリット部３２ａから、該スリット部３２ａの延在方向に延びると共に、該延在方向及び延在方向に直交する方向のいずれの方向に対しても放射状に広がる光が出射される。
【００４７】
換言すると、灯具１から出射される光は見かけ上、アウターレンズ３０の夫々のスリット部３２ａの位置に、該スリット部３２ａの延在方向に沿って配置した線状の光源（疑似光源）から出射された光とみなすことができる。
【００４８】
そこで、灯具１を照射方向から見ると、ＬＥＤ光源の非点灯時（昼間）においては、アウターレンズ３０のメタリック調の光輝性遮光反射面３２ｂが観視され、ＬＥＤ光源の点灯時（夜間）においては、遮光反射面３２ｂのスリット部３２ａの位置に生成された線状の疑似光源からの出射光が観視される。
【００４９】
この場合、昼間時には、アウターレンズ３０のメタリック調の光輝性遮光反射面３２ｂが観視されると同時に、遮光反射面３２ｂによって背後に位置するインナーレンズ１０や、ＬＥＤ２や、ＬＥＤ２を実装した実装基板３、４、５等の内蔵物が隠されるため、優れた美観が得られて見栄えが向上し、灯具１としての商品性が高まる。
【００５０】
また、夜間時には、遮光反射面３２ｂのスリット部３２ａの位置に生成された疑似光源からの線状光が観視されるため、灯具１の前面の疑似光源から出射される線状光による斬新な見栄えの演出によっても灯具１としての商品性が高められる。同時に、疑似光源が生成されるスリット部３２ａには、ＬＥＤから出射してインナーレンズ１０及びアウターレンズ３０によって効率よく光路制御された光が集光される。そのため、スリット部３２ａから出射される線状光は、光源からの出射光の利用効率が高く明るい（光量が多い）ため、灯具１に要求される配光規格を満足する照射光の実現に寄与するものとなっている。
【００５１】
また、インナーレンズ１０及びアウターレンズ３０の夫々は光学的に厚肉の導光路を必要としないため、灯具１の大型化及びそれに伴う製造コストのコストアップを抑制することができる。同時に、薄肉で形成できるインナーレンズ１０及びアウターレンズ３０は、成形時に成形品（導光板ユニット８５）にひけや変形等の成形不良を生じることがなく、そのため、良好で安定した光学性能を確保することができる。
【００５２】
なお、インナーレンズ１０は、必ずしもＬＥＤ２毎に凹状の入射面１１を形成する必要はなく、実装基板を異にして互いに隣接するＬＥＤ２同士（２ａ１、２ｂ１、２ｃ１）、（２ａ２、２ｂ２、２ｃ２）、（２ａ３、２ｂ３、２ｃ３）が配列された方向（横方向）、換言すると、図１４に示すように、出射面１３を構成するフルートカット１３ａの延在方向に直交する方向に沿う溝状の凹部からなる光入射面４０を設けることも可能である。この場合、凹状の底面は、（２ａ１、２ｂ１、２ｃ１）、（２ａ２、２ｂ２、２ｃ２）、（２ａ３、２ｂ３、２ｃ３）の夫々の位置を焦線上の位置とする、ＬＥＤ２側に凸の双曲面あるいは双曲面に近似した非球面からなる柱状凸部で形成された第１入射面４１を構成し、凹部の内側面は、第１反射面４１を両側から挟むように該第１反射面４１に沿って形成された第２入射面４２を構成している。
【００５３】
これにより、横方向に配列されたＬＥＤ２の夫々から出射された光を、互いに横方向に連続する光として取り扱うことができる。
【００５４】
また、遮光反射面３２ｂはハーフミラー蒸着処理を施したハーフミラー蒸着面とすることも可能である。この場合、車両用灯具の非点灯時には遮光反射面３２ｂがメタリックに見え、また点灯時には遮光反射面３２ｂが、スリット３２ａにて集光されなかった一部の漏光によって淡く発光するため、装飾性が一層高められる。
【符号の説明】
【００５５】
１…  車両用灯具
２…  ＬＥＤ
２ａ１、２ａ２、２ａ３…  ＬＥＤ
２ｂ１、２ｂ２、２ｂ３…  ＬＥＤ
２ｃ１、２ｃ２、２ｃ３…  ＬＥＤ
２ｓ…  光出射面
３…  実装基板
４…  実装基板
５…  実装基板
６…  実装基板１０…  インナーレンズ
１１…  光入射面
１１ａ…  第１入射面
１１ｂ…  第２入射面
１２…  光反射面
１２ａ…  上端部
１３…  光出射面
１３ａ…  フルートカット（シリンドリカルカット）
３０…  アウターレンズ
３１…  光入射面
３１ａ…  フルートカット（シリンドリカルカット）
３１ｂ…  フルートカット（シリンドリカルカット）
３１ｃ…  フルートカット（シリンドリカルカット）
３２…  光出射面
３２ａ…  スリット部
３２ｂ…  遮光反射面
３２ｃ…  レンズ面
４０…  光入射面
４１…  第１入射面
４２…  第２入射面
【図１】
0006694708.tif 000002
【図２】
0006694708.tif 000003
【図３】
0006694708.tif 000004
【図４】
0006694708.tif 000005
【図５】
0006694708.tif 000006
【図６】
0006694708.tif 000007
【図７】
0006694708.tif 000008
【図８】
0006694708.tif 000009
【図９】
0006694708.tif 000010
【図１０】
0006694708.tif 000011
【図１１】
0006694708.tif 000012
【図１２】
0006694708.tif 000013
【図１３】
0006694708.tif 000014
【図１４】
0006694708.tif 000015
【図１５】
0006694708.tif 000016